(57)【要約】  本発明は撮像レンズを開示し、撮像レンズは、物体側から像側へ順に、物体側の面が凸面であり、像側の面が凹面であり、正の屈折力を有する第１レンズと、屈折力を有する第２レンズと、負の屈折力を有する第３レンズと、像側の面が凸面であり、正の屈折力を有する第４レンズと、物体側の面及び像側の面の内、少なくとも一つの面に少なくとも一つの変曲点が存在し、負の屈折力を有する第５レンズと、を備える。前記撮像レンズは、以下の関係式を満たす。TL/2Y≦0.7、-0.7<f/f3<-0.3。ただし、TTLは撮像レンズの全長、Yは結像面における有効画素領域の対角線長の半分、fは撮像レンズの有効焦点距離、f3は第３レンズの有効焦点距離である。前記のように構成された撮像レンズは、大きい画角及び超薄の特徴を持つとともに、良好な結像品質を有する。【選択図】図１
2017513034.tif 000002
【特許請求の範囲】
【請求項１】
撮像レンズであって、物体側から像側へ順に、
物体側の面が凸面であり、像側の面が凹面であり、正の屈折力を有する第１レンズと、
屈折力を有する第２レンズと、
負の屈折力を有する第３レンズと、
像側の面が凸面であり、正の屈折力を有する第４レンズと、
物体側の面及び像側の面の内、少なくとも一つの面に少なくとも一つの変曲点が存在し、負の屈折力を有する第５レンズと、を備え、
前記撮像レンズは、被写体と前記第２レンズとの間に設けられた開口絞りを備え、
前記超薄結像レンズは、以下の関係式、
TTL/2Y≦0.7、
-0.7<f/f3<-0.3、を満たし、
ただし、TTLは前記撮像レンズの全長、Yは結像面における有効画素領域の対角線長の半分、fは前記撮像レンズの有効焦点距離、f3は前記第３レンズの有効焦点距離である、
ことを特徴とする撮像レンズ。
【請求項２】
前記第１レンズはガラスまたはプラスチック材質から構成されることを特徴とする請求項１に記載の撮像レンズ。
【請求項３】
前記撮像レンズは、以下の関係式、
V1-V3>30、を満たし、
ただし、V1は前記第１レンズのアッベ数、V3は前記第３レンズのアッベ数であることを特徴とする請求項２に記載の撮像レンズ。
【請求項４】
前記撮像レンズは、以下の関係式、
0.3<SAG42/SD42<0.7、を満たし、
ただし、SAG42は前記第４レンズの像側の面の矢状高さ、SD42は前記第４レンズの像側の面の最大有効半径であることを特徴とする請求項１に記載の撮像レンズ。
【請求項５】
前記撮像レンズは、以下の関係式、
-0.75<f1/f3<-0.35、を満たし、
ただし、f1は前記第１レンズの有効焦点距離であることを特徴とする請求項１に記載の撮像レンズ。
【請求項６】
前記撮像レンズは、以下の関係式、
-0.6<(R1-R2)/(R1+R2)<-0.3、を満たし、
ただし、R1は前記第１レンズの物体側の面の曲率半径、R2は前記第１レンズの像側の面の曲率半径であることを特徴とする請求項１に記載の撮像レンズ。
【請求項７】
前記撮像レンズは、以下の関係式、
0.5<f/f4<2.5、
R6/R7>0、を満たし、
ただし、f4は前記第４レンズの有効焦点距離、R6は前記第３レンズの像側の面の曲率半径、R7は前記第４レンズの物体側の面の曲率半径であることを特徴とする請求項１に記載の撮像レンズ。
【請求項８】
前記撮像レンズは、以下の関係式、
-3<f/f5<-1、を満たし、
ただし、f5は前記第５レンズの有効焦点距離であることを特徴とする請求項１に記載の撮像レンズ。
【請求項９】
前記第２レンズは物体側の面が凹面であり、像側の面が凸面であることを特徴とする請求項１から８のいずれか一項に記載の撮像レンズ。
【請求項１０】
前記第３レンズの物体側の面は凹面であることを特徴とする請求項９に記載の撮像レンズ。
【請求項１１】
前記第５レンズの像側の面は凹面であることを特徴とする請求項１０に記載の撮像レンズ。
【発明の詳細な説明】
【技術分野】
【０００１】
（優先権情報）
本出願は、２０１５年４月１０日に中国国家知識産権局に提出された特許出願番号が201510168609.4である特許出願の優先権及び権益を主張するものであり、当該中国特許出願の全内容は参照により本明細書に組み入れられる。
【０００２】
（技術分野）
本発明は、結像技術に関し、特に撮像レンズに関する。
【背景技術】
【０００３】
近年、科学技術の発展に伴い、携帯用電子製品がますます盛んになり、特に撮像機能を備える携帯用電子製品が更に注目されている。一般的には、光学系の感光性素子は、感光性結合素子(charge-coupled device, CCD)または相補型金属酸化膜半導体素子(complementary oxide-metal semiconductor, COMS)の二種類に過ぎない。半導体プロセス技術が進むことに伴い、感光性素子の画素サイズが縮小され、これに応じて、小型化するために、光学系の撮像レンズのサイズもますます小さくなることが求められている。また、感光性素子とのマッチングのために、撮像レンズの結像品質を更に向上させることが求められている。
【発明の概要】
【発明が解決しようとする課題】
【０００４】
本発明の目的は、従来技術における少なくとも一つの技術的課題を解決することである。本発明の主な目的は、撮像レンズを提供することである。
【課題を解決するための手段】
【０００５】
本発明の撮像レンズは、物体側から像側へ順に、
物体側の面が凸面であり、像側の面が凹面であり、正の屈折力を有する第１レンズと、
屈折力を有する第２レンズと、
負の屈折力を有する第３レンズと、
像側の面が凸面であり、正の屈折力を有する第４レンズと、
物体側の面と像側の面の内、少なくとも一つの面に、少なくとも一つの変曲点が存在し、負の屈折力を有する第５レンズと、を備え、
前記撮像レンズは、被写体と前記第２レンズとの間に設けられた開口絞りを備え、
前記超薄結像レンズは以下の関係式、
TTL/2Y≦0.7、
-0.7<f/f3<-0.3、を満たし、
ただし、TTLは前記撮像レンズの全長、Yは結像面における有効画素領域の対角線長の半分、fは前記撮像レンズの有効焦点距離、f3は前記第３レンズの有効焦点距離である。
【０００６】
いくつかの実施形態において、前記第１レンズは、ガラスまたはプラスチック材質から構成される。
【０００７】
いくつかの実施形態において、前記撮像レンズは以下の関係式、
V1-V3>30、を満たし、
ただし、V1は前記第１レンズのアッベ数、V3は前記第３レンズのアッベ数である。
【０００８】
いくつかの実施形態において、前記撮像レンズは以下の関係式、
0.3<SAG42/SD42<0.7、を満たし、
ただし、SAG42は前記第４レンズの像側の面の矢状高さ、SD42は前記第４レンズの像側の面の最大有効半径である。
【０００９】
いくつかの実施形態において、前記撮像レンズは以下の関係式、
-0.75<f1/f3<-0.35、を満たし、
ただし、f1は前記第１レンズの有効焦点距離である。
【００１０】
いくつかの実施形態において、前記撮像レンズは以下の関係式、
-0.6<(R1-R2)/(R1+R2)<-0.3、を満たし、
ただし、R1は前記第１レンズの物体側の面の曲率半径、R2は前記第１レンズの像側の面の曲率半径である。
【００１１】
いくつかの実施形態において、前記撮像レンズは以下の関係式、
0.5<f/f4<2.5、
R6/R7>0、を満たし、
ただし、f4は前記第４レンズの有効焦点距離、R6は前記第３レンズの像側の面の曲率半径、R7は前記第４レンズの物体側の面の曲率半径である。
【００１２】
いくつかの実施形態において、前記撮像レンズ以下の関係式、
-3<f/f5<-1、を満たし、
ただし、f5は前記第５レンズの有効焦点距離である。
【００１３】
いくつかの実施形態において、前記第２レンズは物体側の面が凹面であり、像側の面が凸面である。
【００１４】
いくつかの実施形態において、前記第３レンズの物体側の面は凹面である。
【００１５】
いくつかの実施形態において、前記第５レンズの像側の面は凹面である。
【００１６】
本発明の付加的な特徴及び利点は、以下の説明において部分的に示され、この説明から一部が明らかになるか、または、本発明の実施により理解され得る。
【００１７】
本発明の上述および／または付加的な特徴と利点は、下記の添付図面を参照した実施形態に対する説明により明らかになり、理解が容易になる。
【図面の簡単な説明】
【００１８】
【図１】実施例1の撮像レンズの模式図である。
【図２】実施例1の撮像レンズの軸上色収差図(mm)である。
【図３】実施例1の撮像レンズの非点収差図(mm) である。
【図４】実施例1の撮像レンズの歪み図(%)である。
【図５】実施例1の撮像レンズの倍率色収差図(um)である。
【図６】実施例2の撮像レンズの模式図である。
【図７】実施例2の撮像レンズの軸上色収差図(mm)ある。
【図８】実施例2の撮像レンズの非点収差図(mm)である。
【図９】実施例2の撮像レンズの歪み図(%)である。
【図１０】実施例2の撮像レンズの倍率色収差図(um)である。
【図１１】実施例3の撮像レンズの模式図である。
【図１２】実施例3の撮像レンズの軸上色収差図(mm)である。
【図１３】実施例3の撮像レンズの非点収差図(mm)である。
【図１４】実施例3の撮像レンズの歪み図(%)である。
【図１５】実施例3の撮像レンズの倍率色収差図(um)である。
【図１６】実施例4の撮像レンズの模式図である。
【図１７】実施例4の撮像レンズの軸上色収差図(mm)である。
【図１８】実施例4の撮像レンズの非点収差図(mm)である。
【図１９】実施例4の撮像レンズの歪み図(%)である。
【図２０】実施例4の撮像レンズの倍率色収差図(um)である。
【図２１】実施例5の撮像レンズの模式図である。
【図２２】実施例5の撮像レンズの軸上色収差図(mm)である。
【図２３】実施例5の撮像レンズの非点収差図(mm)である。
【図２４】実施例5の撮像レンズの歪み図(%)である。
【図２５】実施例5の撮像レンズの倍率色収差図(um)である。
【図２６】実施例6の撮像レンズの模式図である。
【図２７】実施例6の撮像レンズの軸上色収差図(mm)である。
【図２８】実施例6の撮像レンズの非点収差図(mm)である。
【図２９】実施例6の撮像レンズの歪み図(%)である。
【図３０】実施例6の撮像レンズの倍率色収差図(um)である。
【図３１】実施例7の撮像レンズの模式図である。
【図３２】実施例7の撮像レンズの軸上色収差図(mm)である。
【図３３】実施例7の撮像レンズの非点収差図(mm)である。
【図３４】実施例7の撮像レンズの歪み図(%)である。
【図３５】実施例7の撮像レンズの倍率色収差図(um)である。
【図３６】実施例8の撮像レンズの模式図である。
【図３７】実施例8の撮像レンズの軸上色収差図(mm)である。
【図３８】実施例8の撮像レンズの非点収差図(mm)である。
【図３９】実施例8の撮像レンズの歪み図(%)である。
【図４０】実施例8の撮像レンズの倍率色収差図(um)である。
【図４１】実施例9の撮像レンズの模式図である。
【図４２】実施例9の撮像レンズの軸上色収差図(mm)である。
【図４３】実施例9の撮像レンズの非点収差図(mm)である。
【図４４】実施例9の撮像レンズの歪み図(%)である。
【図４５】実施例9の撮像レンズの倍率色収差図(um)である。
【図４６】実施例10の撮像レンズの模式図である。
【図４７】実施例10の撮像レンズの軸上色収差図(mm)である。
【図４８】実施例10の撮像レンズの非点収差図(mm)である。
【図４９】実施例10の撮像レンズの歪み図(%)である。
【図５０】実施例10の撮像レンズの倍率色収差図(um)である。
【発明を実施するための形態】
【００１９】
以下に、本発明の実施形態を詳細に説明する。前記実施形態の例が図面に示されるが、同一または類似する符号は、常に、同一又は類似の部品、または、同一又は類似の機能を有する部品を表す。以下に、図面を参照しながら説明される実施形態は例示的なものであり、本発明を解釈するためだけに用いられ、本発明を限定するものと理解されてはならない。
【００２０】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」などの用語が示す方位又は位置関係は、図面に示す方位又は位置関係に基づき、本発明を便利にまたは簡単に説明するために使用されるものであり、指定された装置又は部品が特定の方位にあり、特定の方位において構成され操作されると指示又は暗示するものではないので、本発明に対する限定と理解してはいけない。なお、「第一」、「第二」の用語は目的を説明するためだけに用いられるものであり、比較的な重要性を指示又は暗示するか、または示された技術的特徴の数を黙示的に指示すると理解してはいけない。そこで、「第一」、「第二」が限定されている特徴は一つ又はより多くの前記特徴を含むことを明示又は暗示するものである。本発明の説明において、明確且つ具体的な限定がない限り、「複数」とは、二つ又は二つ以上のことを意味する。
【００２１】
なお、本発明の説明において、明確な規定と限定がない限り、「取り付け」、「互いに接続」、「接続」の用語の意味は広く理解されるべきである。例えば、固定接続、着脱可能な接続、または一体的な接続も含まれる。機械的な接続、電気的な接続、または互いに通信することも含まれる。直接的に接続すること、中間媒体を介して間接的に接続すること、二つの部品の内部が連通すること、または二つの部品の間に相互の作用関係があることも含まれる。当業者は、具体的な場合によって上記用語の本発明においての具体的な意味を理解することができる。
【００２２】
本発明において、明確な規定と限定がない限り、第一特徴が第二特徴の「上」又は「下」にあることは、第一特徴と第二特徴とが直接的に接触することを含んでも良いし、第一特徴と第二特徴とが直接的に接触することではなくそれらの間の別の特徴を介して接触することを含んでもよい。また、第一特徴が第二特徴の「上」、「上方」又は「上面」にあることは、第一特徴が第二特徴の真上及び斜め上にあることを含むか、または、単に第一特徴の水平高さが第二特徴より高いことだけを表す。第一特徴が第二特徴の「下」、「下方」又は「下面」にあることは、第一特徴が第二特徴の真上及び斜め上にあることを含むか、または、単に第一特徴の水平高さが第二特徴より低いことだけを表す。
【００２３】
以下の説明において、多くの異なる実施形態または例を提供することにより本発明の異なる構造を実現する。本発明の説明を簡素化するため、以下に特定の例の部材及び配置について説明する。勿論、これらは例示に過ぎず、本発明を限定することを意図していない。また、本発明は、異なる例において参考数字及び／または参考アルファベットを重複することができる。このような重複は、簡素化及び明瞭のためであり、それ自体は検討する各種の実施例及び／または配置の間の関係を示すものではない。また、本発明は、さまざまな特定のプロセス及び材料の例を挙げているが、当業者は、他のプロセスの適用及び／または他の材料の使用も考えることが可能である。
【００２４】
図１を参照して、本発明が提供する撮像レンズを説明する。本発明が提供する撮像レンズは、物体側から像側へ順に、正の屈折力を有する第１レンズE1と、屈折力を有する第２レンズE2と、負の屈折力を有する第３レンズE3と、正の屈折力を有する第４レンズE4と、負の屈折力を有する第５レンズE5とを備える。
【００２５】
第１レンズE1は物体側の面S1と像側の面S2とを備える。第２レンズE2は物体側の面S3と像側の面S4とを備える。第３レンズE3は物体側の面S5と像側の面S6とを備える。第４レンズE4は物体側の面S7と像側の面S8とを備える。第５レンズE5は物体側の面S9と像側の面S10とを備える。物体側の面S1は凸面であり、像側の面S2は凹面である。像側の面S8は凸面である。物体側の面S9及び像側の面S10の内、少なくとも一つの面には、少なくとも一つの変曲点が存在する。
【００２６】
撮像レンズは被写体と第２レンズE2との間に設けられた開口絞りSTOを備える。
【００２７】
超薄結像レンズは以下の関係式を満たす。
TTL/2Y≦0.7
-0.7<f/f3<-0.3
ただし、TTLは撮像レンズの全長、Yは結像面S13における有効画素領域対角線長の半分、fは撮像レンズの有効焦点距離、f3は第３レンズE3の有効焦点距離である。
【００２８】
前記の関係式を満たすことによって、撮像レンズの長さを短縮するのに有利であり、かつ画角を拡大するのに有利であるとともに、結像品質を向上させることが出来る。
【００２９】
第１レンズE1はガラス、またはプラスチック材質から構成され、第１レンズE1にガラス材質を用いた場合、結像品質が更に優れており、第１レンズE1にプラスチック材質を用いた場合、コストが低く、かつ製造しやすい。
【００３０】
撮像レンズは以下の関係式を満たす。
V1-V3>30
ただし、V1は第１レンズE1のアッベ数、V3は第３レンズE3のアッベ数である。
【００３１】
前記の関係式を満たすことによって、撮像レンズの収差を減らすのに有利である。
【００３２】
撮像レンズは以下の関係式を満たす。
0.3<SAG42/SD42<0.7
ただし、SAG42は像側の面S8の矢状高さ、SD42は像側の面S8の最大有効半径である。
【００３３】
前記の関係式における第４レンズE4に対する要求は、第５レンズE5の形状を結合することによって、結像面S13における主光線の入射角を減らし、口径食（vignetting）の発生の可能性を減らして、結像品質を向上させるのに有利である。
【００３４】
撮像レンズは以下の関係式を満たす。
-0.75<f1/f3<-0.35
ただし、f1は第１レンズE1の有効焦点距離である。
【００３５】
前記の関係式における要求は、撮像レンズの画角を拡大するのに有利である。
【００３６】
撮像レンズは以下の関係式を満たす。
-0.6<(R1-R2)/(R1+R2)<-0.3
ただし、R1は物体側の面S1の曲率半径、R2は像側の面S2の曲率半径である。
【００３７】
前記の関係式における第１レンズE1の形状に対する要求は、撮像レンズの画角を拡大するのに有利である。
【００３８】
撮像レンズは以下の関係式を満たす。
0.5<f/f4<2.5
R6/R7>0
ただし、f4は第４レンズE4の有効焦点距離、R6は像側の面S6の曲率半径、R7は物体側の面S7の曲率半径である。
【００３９】
前記の関係式における要求を満たすことによって、撮像レンズの小型化に有利である。
【００４０】
撮像レンズ以下の関係式を満たす。
-3<f/f5<-1
ただし、f5は第５レンズE5の有効焦点距離である。
【００４１】
前記の関係式における要求を満たすことによって、撮像レンズの結像品質を向上させるのに有利である。
【００４２】
物体側の面S3は凹面であり、像側の面S4は凸面である。物体側の面S5は凹面である。像側の面S10は凹面である。
【００４３】
前記の第２レンズE2と、第３レンズE3と、第５レンズE5との形状に対する要求を満たすことによって、撮像レンズの結像品質を更に向上させ、かつ全長を短縮させることが出来る。
【００４４】
結像する際、五枚のレンズを通した光線はフィルタE6を通過した後に、結像面S13に結像する。フィルタE6は、物体側の面S11及び像側の面S12を有する。
【００４５】
いくつかの実施形態において、第１レンズE1、第２レンズE2、第３レンズE3、第４レンズE4及び第５レンズE5は、いずれも非球面レンズである。
【００４６】
非球面の面形状は、次の数式によって決定される。
【数１】
2017513034.tif 000003
ただし、hは非球面上の任意の点から光軸までの高さ、cは頂点曲率、kは円錐定数、Aiは非球面の第i階の補正係数である。
【００４７】
実施例１
実施例1において、撮像レンズは以下の表の条件を満たす。
【００４８】
【表１】
2017513034.tif 000004
【００４９】
【表２】
2017513034.tif 000005
【００５０】
なお、f1=3.18mm、f2=6.29mm、f3=-6.3mm、f4=3.08mm、f5=-2.0mm、f=3.0mm、HFOV=45.5°、TTL=3.59mm及びFnoは2.4である。
【００５１】
実施例2
図6を参照して、実施例2を説明する。実施例2において、撮像レンズは以下の表の条件を満たす。
【００５２】
【表３】
2017513034.tif 000006
【００５３】
【表４】
2017513034.tif 000007
【００５４】
なお、f1=3.18mm、f2=39.65mm、f3=-7.79mm、f4=1.84mm、f5=-1.44mm、f=3.13mm、HFOV=44.2°、TTL=3.58mm、及びFnoは2.4である。
【００５５】
実施例3
図11を参照して、実施例3を説明する。実施例3において、撮像レンズは以下の表の条件を満たす。
【００５６】
【表５】
2017513034.tif 000008
【００５７】
【表６】
2017513034.tif 000009
【００５８】
なお、f1=3.05mm、f2=-1001.1mm、f3=-6.98mm、f4=1.63mm、f5=-1.36mm、f=3.02mm、HFOV=43.5°、TTL=3.58mm及びFnoは2.4である。
【００５９】
実施例4
図16を参照して、実施例4を説明する。実施例4において、撮像レンズは以下の表の条件を満たす。
【００６０】
【表７】
2017513034.tif 000010
【００６１】
【表８】
2017513034.tif 000011
【００６２】
なお、f1=3.18mm、f2=35.02mm、f3=-7.65mm、f4=1.85mm、f5=-1.43mm、f=3.16mm、HFOV=44.1°、TTL=3.59mm及びFnoは2.4である。
【００６３】
実施例5
図21を参照して、実施例5を説明する。実施例5において、撮像レンズは以下の表の条件を満たす。
【００６４】
【表９】
2017513034.tif 000012
【００６５】
【表１０】
2017513034.tif 000013
【００６６】
なお、f1=3.05mm、f2=-133.86mm、f3=-7.0mm、f4=1.62mm、f5=-1.36mm、f=3.06mm、HFOV=43.7°、TTL=3.6mm及びFnoは2.4である。
【００６７】
実施例6
図25を参照して、実施例6を説明する。実施例6において、撮像レンズは以下の表の条件を満たす。
【００６８】
【表１１】
2017513034.tif 000014
【００６９】
【表１２】
2017513034.tif 000015
【００７０】
なお、f1=3.32mm、f2=5.47mm、f3=-4.6mm、f4=2.23mm、f5=-1.66mm、f=3.13mm、HFOV=43.8°、TTL=3.88mm及びFnoは2.4である。
【００７１】
実施例7
図31を参照して、実施例7を説明する。実施例7において、撮像レンズは以下の表の条件を満たす。
【００７２】
【表１３】
2017513034.tif 000016
【００７３】
【表１４】
2017513034.tif 000017
【００７４】
なお、f1=3.29mm、f2=5.68mm、f3=-5.1mm、f4=2.4mm、f5=-1.85mm、f=3.04mm、HFOV=42.6°、TTL=3.86mm及びFnoは2.4である。
【００７５】
実施例8
図36を参照して、実施例8を説明する。実施例8において、撮像レンズは以下の表の条件を満たす。
【００７６】
【表１５】
2017513034.tif 000018
【００７７】
【表１６】
2017513034.tif 000019
【００７８】
なお、f1=3.24mm、f2=37.67mm、f3=-5.68mm、f4=1.56mm、f5=-1.32mm、f=3.07mm、HFOV=43.1°、TTL=3.59mm及びFnoは2.4である。
【００７９】
実施例9
図41を参照して、実施例9を説明する。実施例9において、撮像レンズは以下の表の条件を満たす。
【００８０】
【表１７】
2017513034.tif 000020
【００８１】
【表１８】
2017513034.tif 000021
【００８２】
なお、f1=3.18mm、f2=40.79mm、f3=-8.11mm、f4=1.81mm、f5=-1.45mm、f=3.06mm、HFOV=44.6°、TTL=3.55mm及びFnoは2.4である。
【００８３】
実施例10
図46を参照して、実施例10を説明する。実施例10において、撮像レンズは以下の表の条件を満たす。
【００８４】
【表１９】
2017513034.tif 000022
【００８５】
【表２０】
2017513034.tif 000023
【００８６】
なお、f1=3.06mm、f2=6.55mm、f3=-5.38mm、f4=2.75mm、f5=-2.04mm、f=2.86mm、HFOV=46.3°、TTL=3.55mm及びFnoは2.4である。
【００８７】
実施例1〜10において、各条件式は以下の表の条件を満たす。
【表２１】
2017513034.tif 000024
【００８８】
本発明の説明において、「一つの実施形態」、「一部の実施形態」、「例示的な実施形態」、「例」、「具体的な例」、または「一部の例」などの用語を使用した説明は、該実施形態または例に結合して説明された具体的な特徴、構成、材料または特性が、本発明の少なくとも一つの実施形態または例に含まれることを意味する。本明細書において、上記用語に対する例示的な描写は、必ずしも同じ実施形態または例を示すことではない。又、説明された具体的な特徴、構成、材料または特性は、いずれか一つまたは複数の実施形態もしくは例において適切に結合することができる。
【００８９】
本発明の実施例を示して説明したが、当業者は、本発明の原理及び主旨から逸脱することなく、これらの実施例に対して各種の変化、補正、切り替え及び変形を行うことができる。本発明の範囲は、特許請求の範囲及びその等価物により限定される。
【図１】
2017513034.tif 000025
【図２】
2017513034.tif 000026
【図３】
2017513034.tif 000027
【図４】
2017513034.tif 000028
【図５】
2017513034.tif 000029
【図６】
2017513034.tif 000030
【図７】
2017513034.tif 000031
【図８】
2017513034.tif 000032
【図９】
2017513034.tif 000033
【図１０】
2017513034.tif 000034
【図１１】
2017513034.tif 000035
【図１２】
2017513034.tif 000036
【図１３】
2017513034.tif 000037
【図１４】
2017513034.tif 000038
【図１５】
2017513034.tif 000039
【図１６】
2017513034.tif 000040
【図１７】
2017513034.tif 000041
【図１８】
2017513034.tif 000042
【図１９】
2017513034.tif 000043
【図２０】
2017513034.tif 000044
【図２１】
2017513034.tif 000045
【図２２】
2017513034.tif 000046
【図２３】
2017513034.tif 000047
【図２４】
2017513034.tif 000048
【図２５】
2017513034.tif 000049
【図２６】
2017513034.tif 000050
【図２７】
2017513034.tif 000051
【図２８】
2017513034.tif 000052
【図２９】
2017513034.tif 000053
【図３０】
2017513034.tif 000054
【図３１】
2017513034.tif 000055
【図３２】
2017513034.tif 000056
【図３３】
2017513034.tif 000057
【図３４】
2017513034.tif 000058
【図３５】
2017513034.tif 000059
【図３６】
2017513034.tif 000060
【図３７】
2017513034.tif 000061
【図３８】
2017513034.tif 000062
【図３９】
2017513034.tif 000063
【図４０】
2017513034.tif 000064
【図４１】
2017513034.tif 000065
【図４２】
2017513034.tif 000066
【図４３】
2017513034.tif 000067
【図４４】
2017513034.tif 000068
【図４５】
2017513034.tif 000069
【図４６】
2017513034.tif 000070
【図４７】
2017513034.tif 000071
【図４８】
2017513034.tif 000072
【図４９】
2017513034.tif 000073
【図５０】
2017513034.tif 000074
【手続補正書】
【提出日】平成28年6月30日(2016.6.30)
【手続補正１】
【補正対象書類名】明細書
【補正対象項目名】０００５
【補正方法】変更
【補正の内容】
【０００５】
本発明の撮像レンズは、物体側から像側へ順に、
物体側の面が凸面であり、像側の面が凹面であり、正の屈折力を有する第１レンズと、
屈折力を有する第２レンズと、
負の屈折力を有する第３レンズと、
像側の面が凸面であり、正の屈折力を有する第４レンズと、
物体側の面と像側の面の内、少なくとも一つの面に、少なくとも一つの変曲点が存在し、負の屈折力を有する第５レンズと、を備え、
前記撮像レンズは、被写体と前記第２レンズとの間に設けられた開口絞りを備え、
前記撮像レンズは以下の関係式、
TTL/2Y≦0.7、
-0.7<f/f3<-0.3、を満たし、
ただし、TTLは前記撮像レンズの全長、Yは結像面における有効画素領域の対角線長の半分、fは前記撮像レンズの有効焦点距離、f3は前記第３レンズの有効焦点距離である。
【手続補正２】
【補正対象書類名】明細書
【補正対象項目名】０００８
【補正方法】変更
【補正の内容】
【０００８】
いくつかの実施形態において、前記撮像レンズは以下の関係式、
-0.7<SAG42/SD42<-0.3、を満たし、
ただし、SAG42は前記第４レンズの像側の面の矢状高さ、SD42は前記第４レンズの像側の面の最大有効半径である。
【手続補正３】
【補正対象書類名】明細書
【補正対象項目名】００２２
【補正方法】変更
【補正の内容】
【００２２】
本発明において、明確な規定と限定がない限り、第一特徴が第二特徴の「上」又は「下」にあることは、第一特徴と第二特徴とが直接的に接触することを含んでも良いし、第一特徴と第二特徴とが直接的に接触することではなくそれらの間の別の特徴を介して接触することを含んでもよい。また、第一特徴が第二特徴の「上」、「上方」又は「上面」にあることは、第一特徴が第二特徴の真上及び斜め上にあることを含むか、または、単に第一特徴の水平高さが第二特徴より高いことだけを表す。第一特徴が第二特徴の「下」、「下方」又は「下面」にあることは、第一特徴が第二特徴の真下及び斜め下にあることを含むか、または、単に第一特徴の水平高さが第二特徴より低いことだけを表す。
【手続補正４】
【補正対象書類名】明細書
【補正対象項目名】００２７
【補正方法】変更
【補正の内容】
【００２７】
撮像レンズは以下の関係式を満たす。
TTL/2Y≦0.7
-0.7<f/f3<-0.3
ただし、TTLは撮像レンズの全長、Yは結像面S13における有効画素領域対角線長の半分、fは撮像レンズの有効焦点距離、f3は第３レンズE3の有効焦点距離である。
【手続補正５】
【補正対象書類名】明細書
【補正対象項目名】００３２
【補正方法】変更
【補正の内容】
【００３２】
撮像レンズは以下の関係式を満たす。
-0.7<SAG42/SD42<-0.3
ただし、SAG42は像側の面S8の矢状高さ、SD42は像側の面S8の最大有効半径である。
【手続補正６】
【補正対象書類名】特許請求の範囲
【補正対象項目名】全文
【補正方法】変更
【補正の内容】
【特許請求の範囲】
【請求項１】
撮像レンズであって、物体側から像側へ順に、
物体側の面が凸面であり、像側の面が凹面であり、正の屈折力を有する第１レンズと、
屈折力を有する第２レンズと、
負の屈折力を有する第３レンズと、
像側の面が凸面であり、正の屈折力を有する第４レンズと、
物体側の面及び像側の面の内、少なくとも一つの面に少なくとも一つの変曲点が存在し、負の屈折力を有する第５レンズと、を備え、
前記撮像レンズは、被写体と前記第２レンズとの間に設けられた開口絞りを備え、
前記撮像レンズは、以下の関係式、
TTL/2Y≦0.7、
-0.7<f/f3<-0.3、を満たし、
ただし、TTLは前記撮像レンズの全長、Yは結像面における有効画素領域の対角線長の半分、fは前記撮像レンズの有効焦点距離、f3は前記第３レンズの有効焦点距離である、
ことを特徴とする撮像レンズ。
【請求項２】
前記第１レンズはガラスまたはプラスチック材質から構成されることを特徴とする請求項１に記載の撮像レンズ。
【請求項３】
前記撮像レンズは、以下の関係式、
V1-V3>30、を満たし、
ただし、V1は前記第１レンズのアッベ数、V3は前記第３レンズのアッベ数であることを特徴とする請求項２に記載の撮像レンズ。
【請求項４】
前記撮像レンズは、以下の関係式、
-0.7<SAG42/SD42<-0.3、を満たし、
ただし、SAG42は前記第４レンズの像側の面の矢状高さ、SD42は前記第４レンズの像側の面の最大有効半径であることを特徴とする請求項１に記載の撮像レンズ。
【請求項５】
前記撮像レンズは、以下の関係式、
-0.75<f1/f3<-0.35、を満たし、
ただし、f1は前記第１レンズの有効焦点距離であることを特徴とする請求項１に記載の撮像レンズ。
【請求項６】
前記撮像レンズは、以下の関係式、
-0.6<(R1-R2)/(R1+R2)<-0.3、を満たし、
ただし、R1は前記第１レンズの物体側の面の曲率半径、R2は前記第１レンズの像側の面の曲率半径であることを特徴とする請求項１に記載の撮像レンズ。
【請求項７】
前記撮像レンズは、以下の関係式、
0.5<f/f4<2.5、
R6/R7>0、を満たし、
ただし、f4は前記第４レンズの有効焦点距離、R6は前記第３レンズの像側の面の曲率半径、R7は前記第４レンズの物体側の面の曲率半径であることを特徴とする請求項１に記載の撮像レンズ。
【請求項８】
前記撮像レンズは、以下の関係式、
-3<f/f5<-1、を満たし、
ただし、f5は前記第５レンズの有効焦点距離であることを特徴とする請求項１に記載の撮像レンズ。
【請求項９】
前記第２レンズは物体側の面が凹面であり、像側の面が凸面であることを特徴とする請求項１から８のいずれか一項に記載の撮像レンズ。
【請求項１０】
前記第３レンズの物体側の面は凹面であることを特徴とする請求項９に記載の撮像レンズ。
【請求項１１】
前記第５レンズの像側の面は凹面であることを特徴とする請求項１０に記載の撮像レンズ。
【手続補正７】
【補正対象書類名】図面
【補正対象項目名】図２
【補正方法】変更
【補正の内容】
【図２】
2017513034.tif 000075
【国際調査報告】
2017513034.tif 000076
2017513034.tif 000077
2017513034.tif 000078
2017513034.tif 000079